(57)【特許請求の範囲】
【請求項１】
一方向に沿って複数枚並設される帯状膜材を有し、上記一方向で互いに隣り合う両帯状膜材の互いの両対向縁部が重ねられてこれら両対向縁部が互いに熱溶着され、上記各帯状膜材の長手方向におけるこれら帯状膜材群の外縁部を構成する基部側に対し端縁側が折り返され、これら基部側と端縁側とが互いに熱溶着される膜体において、
上記基部側における上記両対向縁部に対し上記端縁側が重なる部分に、開口が形成されることを特徴とする膜体。
【請求項２】
請求項１の膜体に重ねられる他の膜体が設けられ、上記基部側と端縁側とを有する上記膜体の外縁部と上記他の膜体の外縁部とが重ねられてこれら各外縁部が互いに熱溶着されることを特徴とする多重膜構造体。
【請求項３】
上記他の膜体が、その面方向での他の一方向に沿って複数枚並設される帯状膜材を有し、上記他の一方向で互いに隣り合う両帯状膜材の互いの両対向縁部が重ねられて熱溶着され、上記膜体と他の膜体との間の空間に気体が封入されることを特徴とする請求項２に記載の多重膜構造体。
【請求項４】
互いに重ねられる膜体および複数枚の他の膜体が設けられ、上記膜体が、その面方向での一方向に沿って複数枚並設される帯状膜材を有し、上記一方向で互いに隣り合う両帯状膜材の互いの両対向縁部が重ねられてこれら両帯状膜材が互いに熱溶着され、上記各帯状膜材の長手方向におけるこれら帯状膜材群の外縁部を構成する基部側に対し端縁側が折り返され、これら基部側と端縁側とを有する上記膜体の外縁部と上記各他の膜体の外縁部とが重ねられてこれら各外縁部が互いに熱溶着される多重膜構造体において、
上記基部側における上記両対向縁部に対し上記膜体に隣接する他の膜体の外縁部が重なる部分に、開口が形成されることを特徴とする多重膜構造体。
【請求項５】
上記膜体の外縁部が有する上記基部側と端縁側との間に上記他の膜体の外縁部が挿入されることを特徴とする請求項２から４のうちいずれか１つに記載の多重膜構造体。
【発明の詳細な説明】
【技術分野】
【０００１】
本発明は、複数枚並設される帯状膜材を互いに熱溶着することにより形成される膜体、およびこの膜体を用いた多重膜構造体に関するものである。
【背景技術】
【０００２】
上記多重膜構造体には、従来、下記特許文献１に示されるものがある。この公報のものによれば、多重膜構造体は、互いに重ねられる内、外膜体を備えている。これら内、外膜体の各外縁部は互いに結合されると共に、構築物の基体側に連結具により連結されている。上記内、外膜体は、これらの間の空間に空気が封入されて膨張させられており、これにより上記内、外膜体に張力が付与されている。そして、この張力により、上記内、外膜体が上記構築物の屋根および天井を構成するよう所定形状に保持される。
【０００３】
一方、上記膜体には、次のようなものが提案されている。即ち、膜体は、その面方向での一方向に沿って複数枚並設される帯状膜材を有している。上記一方向で互いに隣り合う両帯状膜材の互いの両対向縁部が重ねられてこれら両対向縁部が互いに熱溶着されている。また、上記各帯状膜材の長手方向におけるこれら帯状膜材群の外縁部を構成する基部側に対し端縁側が折り返され、これら基部側と端縁側とが互いに熱溶着されている。
【０００４】
上記帯状膜材は、成形機により一定幅でその長手方向に連続的に形成されるもので、その後、所望長さに切断されたものを熱溶着により一体化して上記膜体の形成に供される。また、上記したように帯状膜材群の外縁部における基部側に対し端縁側が折り返されて熱溶着されることにより、膜体の外縁部の強度が向上させられている。そして、これにより、上記構築物の基体側に対し上記膜体の外縁部が強固に定着されるようになっている。
【先行技術文献】
【特許文献】
【０００５】
【特許文献１】実開平６−１０５６１号公報
【発明の概要】
【発明が解決しようとする課題】
【０００６】
ところで、上記したように構築物の基体側に対し膜体の外縁部を強固に定着させようとして、帯状膜材群の端縁側を折り返し熱溶着した場合には、上記基部側において互いに重ねられていた前記両対向縁部の両膜材に対し更に上記端縁側の膜材が重ねられることとなり、これにより多重溶着部が形成される結果となる。
【０００７】
すると、第１に、上記多重溶着部からこれに隣接する溶着されていない膜材への遷移部では、例えば、二重の膜材の溶着部からこれに隣接する一枚の膜材への遷移部に比べて、厚さ寸法の変化が大きくなり、この遷移部では強度が急変しがちとなる。
【０００８】
また、第２に、上記多重溶着部では、まず、上記両対向縁部の両膜材が溶着され、次に、これら両膜材に対し上記端縁側の膜材が重ねられてこれら膜材が更に一体的に熱溶着される。このため、上記両対向縁部の両膜材は同じ箇所で熱溶着が繰り返されることから、母材が損傷して、上記多重溶着部の一部の強度が低下するおそれもある。
【０００９】
そして、上記第１、第２の場合には、前記構築物の基体側に定着させられた膜体に対し上記基体側から付与される外力や、多重膜構造体として膨張させられた膜体に対し付与される張力により、上記遷移部や多重溶着部の一部には応力集中が生じやすくなる。よって、これら遷移部や多重溶着部が破損し易くなって膜体の寿命が低下するおそれがある。
【課題を解決するための手段】
【００１０】
本発明は、上記のような事情に注目してなされたもので、本発明の目的は、膜体の外縁部の強度を向上させるためにこの膜体が有する帯状膜材群の外縁部が折り返されて熱溶着された場合でも、この膜体、およびこの膜体を用いた多重膜構造体の寿命の向上が達成されるようにすることである。
【００１１】
請求項１の発明は、一方向Ａに沿って複数枚並設される帯状膜材１２を有し、上記一方向Ａで互いに隣り合う両帯状膜材１２，１２の互いの両対向縁部１３，１３が重ねられてこれら両対向縁部１３，１３が互いに熱溶着Ｗ１され、上記各帯状膜材１２の長手方向Ｂにおけるこれら帯状膜材１２群の外縁部１７を構成する基部側１７ａに対し端縁側１７ｂが折り返され、これら基部側１７ａと端縁側１７ｂとが互いに熱溶着Ｗ２される膜体において、
上記基部側１７ａにおける上記両対向縁部１３，１３に対し上記端縁側１７ｂが重なる部分に、開口２６が形成されることを特徴とする膜体である。
【００１２】
請求項２の発明は、請求項１の膜体８に重ねられる他の膜体９，１０が設けられ、上記基部側１７ａと端縁側１７ｂとを有する上記膜体８の外縁部２０と上記他の膜体９，１０の外縁部２１，２２とが重ねられてこれら各外縁部２０，２１，２２が互いに熱溶着Ｗ２されることを特徴とする多重膜構造体である。
【００１３】
請求項３の発明は、上記他の膜体１０が、その面方向での他の一方向Ｃに沿って複数枚並設される帯状膜材１２を有し、上記他の一方向Ｃで互いに隣り合う両帯状膜材１２，１２の互いの両対向縁部１３，１３が重ねられて熱溶着Ｗ１され、上記膜体８と他の膜体１０との間の空間２４に気体が封入されることを特徴とする請求項２に記載の多重膜構造体である。
【００１４】
請求項４の発明は、特に図６で例示するように、互いに重ねられる膜体８および複数枚の他の膜体９，１０が設けられ、上記膜体８が、その面方向での一方向Ａに沿って複数枚並設される帯状膜材１２，１２を有し、上記一方向Ａで互いに隣り合う両帯状膜材１２，１２の互いの両対向縁部１３，１３が重ねられてこれら両帯状膜材１２，１２が互いに熱溶着Ｗ１され、上記各帯状膜材１２，１２の長手方向Ｂにおけるこれら帯状膜材１２群の外縁部１７を構成する基部側１７ａに対し端縁側１７ｂが折り返され、これら基部側１７ａと端縁側１７ｂとを有する上記膜体８の外縁部２０と上記各他の膜体の外縁部とが重ねられてこれら各外縁部２０，２１，２２が互いに熱溶着Ｗ２される多重膜構造体において、
上記基部側１７ａにおける上記両対向縁部１３，１３に対し上記膜体８に隣接する他の膜体９の外縁部２１が重なる部分に、開口２７が形成されることを特徴とする多重膜構造体である。
【００１５】
請求項５の発明は、上記膜体８の外縁部２０が有する上記基部側１７ａと端縁側１７ｂとの間に上記他の膜体９，１０の外縁部２１，２２が挿入されることを特徴とする請求項２から４のうちいずれか１つに記載の多重膜構造体である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、一方向に沿って複数枚並設される帯状膜材を有し、上記一方向で互いに隣り合う両帯状膜材の互いの両対向縁部が重ねられてこれら両対向縁部が互いに熱溶着され、上記各帯状膜材の長手方向におけるこれら帯状膜材群の外縁部を構成する基部側に対し端縁側が折り返され、これら基部側と端縁側とが互いに熱溶着されている。
【００１９】
つまり、上記膜体が有する帯状膜材群の外縁部を構成する基部側に対し端縁側が折り返されて熱溶着されることにより、上記膜体の外縁部の強度が向上させられている。
【００２０】
そして、上記基部側における上記両対向縁部に対し上記端縁側が重なる部分に、開口が形成されている。
【００２１】
このため、前記したように、膜体の外縁部の強度を向上させた場合でも、上記基部側において互いに重ねられた上記両対向縁部の両膜材に対し、上記端縁側の折り返しによって更にこの端縁側の部分である膜材が重ねられる、ということは上記した開口の形成によって防止される。つまり、上記端縁側が折り返されるとしても、多重溶着部が形成されることは抑制される。
【００２２】
ここで、前記従来の技術にて説明のように、仮に、上記した多重溶着部が形成された場合には、この多重溶着部からこれに隣接する溶着されていない部分への遷移部では強度が急変しがちとなり、また、上記多重溶着部では同じ箇所で熱溶着が繰り返されることにより、この多重溶着部の一部の強度が低下するおそれがある。そして、この場合には、これら遷移部や多重溶着部の一部に応力集中が生じ易くなって、破損し易くなるおそれがある。しかし、上記発明によれば、上記したように多重溶着部の形成が抑制されることから、上記応力集中に基づく破損は未然に防止される。よって、この膜体の寿命の向上が達成される。
【００２３】
請求項２の発明は、請求項１の膜体に重ねられる他の膜体が設けられ、上記基部側と端縁側とを有する上記膜体の外縁部と上記他の膜体の外縁部とが重ねられてこれら各外縁部が互いに熱溶着されている。
【００２４】
ここで、多重膜構造体の形成に際し、膜体と他の膜体との各外縁部が互いに重ねられてこれら各外縁部が互いに熱溶着される場合には、上記多重溶着部の形成の可能性がより高くなる。しかし、上記発明によれば、開口を形成したことにより、上記多重溶着部の形成が抑制される。よって、上記各膜体の寿命の向上が達成され、つまり、多重膜構造体の寿命の向上が達成される。
【００２５】
請求項３の発明は、上記他の膜体が、その面方向での他の一方向に沿って複数枚並設される帯状膜材を有し、上記他の一方向で互いに隣り合う両帯状膜材の互いの両対向縁部が重ねられて熱溶着され、上記膜体と他の膜体との間の空間に気体が封入されている。
【００２６】
ここで、上記したように膜体と他の膜体とは、これらの間の空間に気体がを封入されて膨張させられることにより、上記各膜体には張力が付与される。この場合、上記したように他の膜体は上記膜体とほぼ同構成であるため、各膜体には互いにバランスよく張力が付与される。そして、このような張力の付与により、これら各膜体で構成される多重膜構造体を、構築物の屋根、天井、および壁など所望形状に保持させることができる。
【００２７】
請求項４の発明は、互いに重ねられる膜体および複数枚の他の膜体が設けられ、上記膜体が、その面方向での一方向に沿って複数枚並設される帯状膜材を有し、上記一方向で互いに隣り合う両帯状膜材の互いの両対向縁部が重ねられてこれら両帯状膜材が互いに熱溶着され、上記各帯状膜材の長手方向におけるこれら帯状膜材群の外縁部を構成する基部側に対し端縁側が折り返され、これら基部側と端縁側とを有する上記膜体の外縁部と上記各他の膜体の外縁部とが重ねられてこれら各外縁部が互いに熱溶着されている。
【００２８】
つまり、互いに重ねられる膜体および複数枚の他の膜体が設けられた多重膜構造体において、上記膜体が有する帯状膜材群の外縁部を構成する基部側に対し端縁側が折り返されて熱溶着されることにより、上記多重膜構造体の外縁部の強度が向上させられている。
【００２９】
そして、上記基部側における上記両対向縁部に対し上記膜体に隣接する他の膜体の外縁部が重なる部分に、開口が形成されている。
【００３０】
このため、前記したように、多重膜構造体の外縁部の強度を向上させた場合でも、上記基部側において互いに重ねられた上記両対向縁部の両膜材に対し、更に上記端縁側と他の膜体の外縁部との各膜材が重ねられる、ということは上記した開口の形成によって防止される。つまり、上記帯状膜材群の端縁側の折り返しに加え、上記他の膜体の外縁部が重ねられるとしても、多重溶着部が形成されることは抑制される。
【００３１】
ここで、前記従来の技術にて説明のように、仮に、上記した多重溶着部が形成された場合には、この多重溶着部からこれに隣接する溶着されていない部分への遷移部では強度が急変しがちとなり、また、上記多重溶着部では同じ箇所で熱溶着が繰り返されることにより、この多重溶着部の一部の強度が低下するおそれがある。そして、この場合には、これら遷移部や多重溶着部の一部に応力集中が生じ易くなって、破損し易くなるおそれがある。しかし、上記発明によれば、上記したように多重溶着部の形成が抑制されることから、上記応力集中に基づく破損は未然に防止される。よって、上記各膜体の寿命の向上が達成され、つまり、多重膜構造体の寿命の向上が達成される。
【００３２】
請求項５の発明は、上記膜体の外縁部が有する上記基部側と端縁側との間に上記他の膜体の外縁部が挿入されている。
【００３３】
このため、上記他の膜体の外縁部は、一体物である上記膜体の外縁部の基部側と端縁側との間に挟まれるため、上記各膜体の各外縁部の互いの結合強度が向上する。よって、その分、各膜体の寿命の向上が達成され、つまり、多重膜構造体の寿命の向上が達成される。
【図面の簡単な説明】
【００３４】
【図１】実施例１を示し、多重膜構造体の部分平面展開図である。
【図２】実施例１を示し、多重膜構造体を用いた構築物の側面図である。
【図３】実施例１を示し、多重膜構造体を用いた構築物の平面図である。
【図４】実施例１を示し、図３のIV−IV線矢視断面拡大図である。
【図５】実施例１を示し、多重膜構造体の部分斜視展開図である。
【図６】実施例２を示し、図１に相当する図で多重膜構造体の部分展開図である。
【発明を実施するための形態】
【００３５】
本発明の膜体、およびこの膜体を用いた多重膜構造体に関し、膜体の外縁部の強度を向上させるためにこの膜体が有する帯状膜材群の外縁部が折り返されて熱溶着された場合でも、この膜体、およびこの膜体を用いた多重膜構造体の寿命の向上が達成されるようにする、という目的を実現するため、本発明を実施するための形態は、次の如くである。
【００３６】
即ち、膜体は、その面方向での一方向に沿って複数枚並設される帯状膜材を有している。上記一方向で互いに隣り合う両帯状膜材の互いの両対向縁部が重ねられてこれら両対向縁部が互いに熱溶着される。上記各帯状膜材の長手方向におけるこれら帯状膜材群の外縁部を構成する基部側に対し端縁側が折り返され、これら基部側と端縁側とが互いに熱溶着される。上記基部側における上記両対向縁部に対し上記端縁側が重なる部分に、開口が形成されている。
【実施例１】
【００３７】
本発明をより詳細に説明するために、その実施例１を添付の図１〜５に従って説明する。
【００３８】
図において、符号１は地面上に設置された構築物１で、この構築物１は、地面上に立設される複数（４本）の柱２と、これら柱２の上端部に架設され、平面視で、矩形状に枠組みされた複数の梁３と、これら梁３の枠内で水平方向に延び、その外縁部が上記構築物１の基体側である梁３に連結具４により連結されて屋根および天井を構成する多重膜構造体５とを備えている。
【００３９】
上記多重膜構造体５は、水平方向に延びる膜体８と、この膜体８の下側に位置してこの膜体８と重ねられる複数枚（２枚）の他の膜体９，１０とを備えている。これら各膜体８，９，１０は、平面視で全体として互いにほぼ同形同大の矩形をなしている。
【００４０】
上記膜体８は、その面方向（水平方向）での一方向Ａに沿って複数枚並設される帯状膜材１２を有し、これら各帯状膜材１２は上記一方向Ａに直交する方向に直線的に延びている。上記一方向Ａで互いに隣り合う両帯状膜材１２，１２の互いの両対向縁部１３，１３が互いに面接触するよう重ね合わされている。そして、これら両対向縁部１３，１３の合い面が全体的に互いに熱溶着Ｗ１され、その熱溶着Ｗ１部は上記各帯状膜材１２の長手方向Ｂに沿って帯状に直線的に延びている。
【００４１】
上記帯状膜材１２は、フッ素樹脂であるＥＴＦＥによるフィルムであるが、ＰＶＤＦや、ＰＦＡ、ＦＥＰ等他のフッ素樹脂フィルムや他の熱可塑性樹脂によるフィルムであってもよい。また、基材が天然繊維や合成繊維、無機繊維からなる織物に熱可塑性樹脂を被覆した膜材であってもよい。特に膜材が基材を有さない樹脂フィルムのみの場合は、基材を有さないことから、多重溶着部が形成されることによる強度低下の影響を受けやすい。よって、この場合には本発明を適用することが好ましい。
【００４２】
上記帯状膜材１２は幅寸法が１０００〜４０００ｍｍ程度である。膜材の厚さは、０．１〜１ｍｍ程度であるが、好ましくは０．１〜０．４ｍｍ程度の厚みの場合に本発明を適用することが好ましい。その理由は、ある程度厚みのある膜材であれば、多重溶着部が形成されたとしても、母材強度により強度低下は少ないが、０．１〜０．４ｍｍ程度の厚みの場合は、母材自体の強度が限られるので、多重溶着部が形成されることによる強度低下の影響を受けやすいためである。また、上記のように重ねられて熱溶着Ｗ１された両対向縁部１３，１３の幅寸法は２０〜６０ｍｍ程度である。
【００４３】
また、上記一方向Ａ（および長手方向Ｂ）は、上記膜体８の外縁に対しほぼ４５°傾斜しているが、これら膜体８の外縁と一方向Ａ（もしくは長手方向Ｂ）とは、互いに平行であってもよい。
【００４４】
上記両他の膜体９，１０のうち、多重膜構造体５の外面を形成する最下側の他の膜体１０は、上記膜体８の各帯状膜材１２と同じ断面形状の帯状膜材１２を複数枚有している。上記他の膜体１０の各帯状膜材１２は、この他の膜体１０の面方向（水平方向）での他の一方向Ｃに沿って並設され、この他の一方向Ｃで互いに隣り合う両帯状膜材１２，１２の互いの両対向縁部１３，１３が重ねられて熱溶着Ｗ１されている。つまり、上記膜体８と他の膜体１０とのそれぞれ帯状膜材１２群の横断面形状は互いに同形同大とされている。
【００４５】
図例では、上記一方向Ａと他の一方向Ｃとは互いに同じ方向であり、平面視で、上記膜体８の各帯状膜材１２と、他の膜体１０の各帯状膜材１２とは互いに同じところに位置している。なお、上記一方向Ａと他の一方向Ｃとは平面視で互いに直交するなど相違していてもよい。また、上記膜体８の帯状膜材１２と他の膜体１０の帯状膜材１２との各幅寸法は互いに相違していてもよい。また、上記膜体８と他の膜体１０との間に位置する更に他の膜体９は、詳図しないが、上記他の膜体１０と同構成で同形同大とされる。なお、上記他の膜体９，１０は、熱溶着Ｗ１の無い、単なる平坦な膜体であってもよい。
【００４６】
上記各帯状膜材１２の長手方向Ｂにおけるこれら帯状膜材１２群の外縁部１７を構成する基部側１７ａに対し端縁側１７ｂが折り返され、これら基部側１７ａと端縁側１７ｂとは互いに熱溶着Ｗ２される。この場合、上記基部側１７ａと端縁側１７ｂとの谷折れ部の内部に可撓性のロープ１９が挿入されている。
【００４７】
より具体的には、上記基部側１７ａと端縁側１７ｂとを有する上記膜体８の外縁部２０と、この外縁部２０に対応する上記各他の膜体９，１０の外縁部２１，２２とが互いに面接触状に重ね合わされてこれら各外縁部２０，２１，２２が互いに熱溶着Ｗ２されている。この場合、上記膜体８の外縁部２０が有する上記基部側１７ａと端縁側１７ｂとの間に上記各膜体９，１０の各外縁部２１，２２がそれぞれ挿入され、これら外縁部２１，２２は上記基部側１７ａと端縁側１７ｂとにより挟まれている。
【００４８】
上記したように、各膜体８，９，１０の各外縁部２０，２１，２２は上記熱溶着Ｗ２により互いに結合されると共に、前記連結具４により挟み付けられ、かつ、この連結具４に上記膜体８の外縁部２０を介しロープ１９が係止させられて前記構築物１の梁３に定着されている。
【００４９】
上記した各膜体８，９，１０の各外縁部２０，２１，２２の熱溶着Ｗ２により、上記膜体８，９，１０の間の空間２４はほぼ密閉空間とされている。この空間２４に気体が封入されて、上記空間２４および各膜体８，９，１０がそれぞれ膨張させられることにより、これら各膜体８，９，１０にそれぞれ張力が付与される。そして、この張力の付与により、上記各膜体８，９，１０が上記構築物１の屋根および天井を構成するよう所望形状に保持される。上記気体は、空気や窒素、ヘリウム等用途により所望のものが封入される。
【００５０】
なお、上記多重膜構造体５として、上記各膜体８，９，１０のうち、これらの中間に位置する他の膜体９は設けなくてもよく、また、上記各膜体８，９，１０に更に他の膜体を加えてもよい。また、上記各膜体８，９，１０のうち、他の膜体９，１０は設けなくてもよく、この場合、膜体８は、これ単独として、例えば、農場における温室用ハウスやテントの壁、屋根、および天井などに利用される。
【００５１】
上記空間２４が外部と連通することが回避される範囲で、上記基部側１７ａにおける上記両対向縁部１３，１３に対し上記端縁側１７ｂが重なる部分に、切り欠きである開口２６が形成される。なお、この開口２６は円形、長孔、もしくは矩形の貫通孔であってもよい。また、上記基部側１７ａにおける上記両対向縁部１３，１３に対し上記膜体８に隣接する他の膜体９の外縁部２１が重なる部分に、切り欠きである他の開口２７が形成されている。この他の開口２７の一部は、上記他の膜体９によって分割された空間２４の２つの分割空間を互いに連通させている。なお、上記他の開口２７も円形等の貫通孔であってもよいが、この他の開口２７は設けなくてもよい。
【００５２】
上記構成によれば、一方向Ａに沿って複数枚並設される帯状膜材１２を有し、上記一方向Ａで互いに隣り合う両帯状膜材１２，１２の互いの両対向縁部１３，１３が重ねられてこれら両対向縁部１３，１３が互いに熱溶着Ｗ１され、上記各帯状膜材１２の長手方向Ｂにおけるこれら帯状膜材１２群の外縁部１７を構成する基部側１７ａに対し端縁側１７ｂが折り返され、これら基部側１７ａと端縁側１７ｂとが互いに熱溶着Ｗ２されている。
【００５３】
つまり、上記膜体８が有する帯状膜材１２群の外縁部１７を構成する基部側１７ａに対し端縁側１７ｂが折り返されて熱溶着Ｗ２されることにより、上記膜体８の外縁部２０の強度が向上させられている。
【００５４】
そして、上記基部側１７ａにおける上記両対向縁部１３，１３に対し上記端縁側１７ｂが重なる部分に、開口２６が形成されている。
【００５５】
このため、前記したように、膜体８の外縁部２０の強度を向上させた場合でも、上記基部側１７ａにおいて互いに重ねられた上記両対向縁部１３，１３の両膜材に対し、上記端縁側１７ｂの折り返しによって更にこの端縁側１７ｂの部分である膜材が重ねられる、ということは上記した開口２６の形成によって防止される。つまり、上記端縁側１７ｂが折り返されるとしても、多重溶着部が形成されることは抑制される。
【００５６】
ここで、前記従来の技術にて説明のように、仮に、上記した多重溶着部が形成された場合には、この多重溶着部からこれに隣接する溶着されていない部分への遷移部では強度が急変しがちとなり、また、上記多重溶着部では同じ箇所で熱溶着が繰り返されることにより、この多重溶着部の一部の強度が低下するおそれがある。そして、この場合には、これら遷移部や多重溶着部の一部に応力集中が生じ易くなって、破損し易くなるおそれがある。しかし、上記構成によれば、上記したように多重溶着部の形成が抑制されることから、上記応力集中に基づく破損は未然に防止される。よって、この膜体８の寿命の向上が達成される。
【００５７】
また、前記したように、膜体８に重ねられる他の膜体９，１０が設けられ、上記基部側１７ａと端縁側１７ｂとを有する上記膜体８の外縁部２０と上記他の膜体９，１０の外縁部２１，２２とが重ねられてこれら各外縁部２０，２１，２２が互いに熱溶着Ｗ２されている。
【００５８】
ここで、多重膜構造体５の形成に際し、膜体８と他の膜体９，１０との各外縁部２０，２１，２２が互いに重ねられてこれら各外縁部２０，２１，２２が互いに熱溶着Ｗ２される場合には、上記多重溶着部の形成の可能性がより高くなる。しかし、上記構成によれば、開口２６，２７を形成したことにより、上記多重溶着部の形成が抑制される。よって、上記各膜体８，９，１０の寿命の向上が達成され、つまり、多重膜構造体５の寿命の向上が達成される。
【００５９】
また、前記したように、他の膜体１０が、その面方向での他の一方向Ｃに沿って複数枚並設される帯状膜材１２を有し、上記他の一方向Ｃで互いに隣り合う両帯状膜材１２，１２の互いの両対向縁部１３，１３が重ねられて熱溶着Ｗ１され、上記膜体８と他の膜体１０との間の空間２４に気体が封入されている。
【００６０】
ここで、上記したように膜体８と他の膜体１０とは、これら８，１０の間の空間２４に気体が封入されて膨張させられることにより、上記各膜体８，１０には張力が付与される。この場合、上記したように他の膜体１０は上記膜体８とほぼ同構成であるため、各膜体８，１０には互いにバランスよく張力が付与される。そして、このような張力の付与により、これら各膜体８，１０で構成される多重膜構造体５を、構築物１の屋根、天井、および壁など所望形状に保持させることができる。
【００６１】
また、前記したように、上記膜体８の外縁部２０が有する上記基部側１７ａと端縁側１７ｂとの間に上記他の膜体９，１０の外縁部２１，２２が挿入されている。
【００６２】
このため、上記他の膜体９，１０の外縁部２１，２２は、一体物である上記膜体８の外縁部２０の基部側１７ａと端縁側１７ｂとの間に挟まれるため、上記各膜体８，９，１０の各外縁部２０，２１，２２の互いの結合強度が向上する。よって、その分、各膜体８，９，１０の寿命の向上が達成され、つまり、多重膜構造体５の寿命の向上が達成される。
【００６３】
なお、以上は図示の例によるが、多重膜構造体５の各膜体８，９，１０を縦方向や傾斜方向に延ばすことにより、上記多重膜構造体５が構築物１の屋根、天井、および壁を構成するようにしてもよい。
【００６４】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００６５】
本発明をより詳細に説明するために、その実施例２を添付の図６に従って説明する。
【００６６】
図６において、上記端縁側１７ｂには開口２６は形成されていない。一方、上記基部側１７ａにおける上記両対向縁部１３，１３の熱溶着Ｗ１部に対し上記膜体８の下側に隣接する他の膜体９の外縁部２１が重なる部分に、開口２７が形成されている。なお、図６中一点鎖線で示すように、上記基部側１７ａにおける上記両対向縁部１３，１３の熱溶着Ｗ１部に対し前記他の膜体１０の外縁部２２が重なる部分に、他の開口２８を形成してもよい。
【００６７】
上記構成によれば、互いに重ねられる膜体８および複数枚の他の膜体９，１０が設けられた多重膜構造体５において、上記膜体８が有する帯状膜材１２群の外縁部１７を構成する基部側１７ａに対し端縁側１７ｂが折り返されて熱溶着Ｗ２されることにより、上記多重膜構造体５の外縁部２０，２１，２２の強度が向上させられている。
【００６８】
そして、上記基部側１７ａにおける上記両対向縁部１３，１３に対し上記膜体８に隣接する他の膜体９の外縁部２１が重なる部分に、開口２７が形成されている。
【００６９】
このため、前記したように、多重膜構造体５の外縁部２０，２１，２２の強度を向上させた場合でも、上記基部側１７ａにおいて互いに重ねられた上記両対向縁部１３，１３の両膜材に対し、更に上記端縁側１７ｂと他の膜体９，１０の外縁部２１，２２との各膜材が重ねられる、ということは上記した開口２７の形成によって防止される。つまり、上記帯状膜材１２群の端縁側１７ｂの折り返しに加え、上記他の膜体９，１０の外縁部２１，２２が重ねられるとしても、多重溶着部が形成されることは抑制される。
【００７０】
ここで、前記従来の技術にて説明のように、仮に、上記した多重溶着部が形成された場合には、この多重溶着部からこれに隣接する溶着されていない部分への遷移部では強度が急変しがちとなり、また、上記多重溶着部では同じ箇所で熱溶着が繰り返されることにより、この多重溶着部の一部の強度が低下するおそれがある。そして、この場合には、これら遷移部や多重溶着部の一部に応力集中が生じ易くなって、破損し易くなるおそれがある。しかし、上記構成によれば、上記したように多重溶着部の形成が抑制されることから、上記応力集中に基づく破損は未然に防止される。よって、上記各膜体８，９，１０の寿命の向上が達成され、つまり、多重膜構造体５の寿命の向上が達成される。
【符号の説明】
【００７１】
５    多重膜構造体
８    膜体
９    膜体
１０  膜体
１２  帯状膜材
１３  対向縁部
１７  外縁部
１７ａ  基部側
１７ｂ  端縁側
２０  外縁部
２１  外縁部
２２  外縁部
２４  空間
２６  開口
２７  開口
２８  開口
Ａ    一方向
Ｂ    長手方向
Ｃ    他の一方向
Ｗ１  熱溶着
Ｗ２  熱溶着
【図１】
0005517792.tif 000002
【図２】
0005517792.tif 000003
【図３】
0005517792.tif 000004
【図４】
0005517792.tif 000005
【図５】
0005517792.tif 000006
【図６】
0005517792.tif 000007